(57)【特許請求の範囲】
【請求項１】
電気接触部としての中空角柱状の接触部本体を有し、該接触部本体の天井壁側の後端から片持ち状の係止片を突出形成し、該係止片に対する保護壁を該係止片の両側に有し、コネクタハウジングの端子収容室内に形成された係合段部に該係止片が係合する端子において、
前記係止片の自由端部側の両側から前記接触部本体の底壁側へ向けて一対の延設壁が突出形成され、該一対の延設壁は当接用後端面を有し、前記端子収容室内に挿入された前記電気接触部が後方に引っ張られた際に該当接用後端面が前記係合段部の前端面に面接触で当接することを特徴とする端子。
【請求項２】
前記一対の延設壁の下端から各係合腕部を外向きに突出形成すると共に、前記保護壁に係止窓を形成し、前記端子収容室内に挿入された前記電気接触部が引っ張られた際に、該係止窓内の該係合腕部が該係止窓の窓縁に当接することにより、前記係止片の座屈が防止されることを特徴とする請求項１記載の端子。
【請求項３】
前記接触部本体の前記天井壁の後端から補強片を突設し、該補強片が該接触部本体から突出した前記係止片の根元部の上面に当接して該係止片を補強することを特徴とする請求項１又は２記載の端子。
【発明の詳細な説明】
【０００１】
【発明の属する技術分野】
本発明は、コネクタハウジングの端子収容室に挿入係止される端子に関するものである。
【０００２】
【従来の技術】
図１１は従来の端子を示すものである。
この端子５１は、図１１及び図１２に示すように、矩形状の基板５２の一端部に相手方端子（図示せず）を受け入れる電気接触部５３と、他端部に電線（図示せず）を接続固定する電気接続部５４とをそれぞれ有する。
【０００３】
電気接触部５３は、基板５２の両端に起立側壁５５ａ，５５ｂを立ち上げ、各起立側壁５５ａ，５５ｂの自由端を折曲して係止片５６と、係止片５６の両側に位置する保護壁５７とをそれぞれ形成したものである。電線接続部５４は、電線の導体部を加締る導体加締片５８と、電線の被覆部を加締る被覆加締片５９とをそれぞれ基板５２に立設したものである。なお、６０は、複数の端子５１を連結する連鎖帯である。
【０００４】
図１３に示す如くに、電線付き端子５１′がコネクタハウジング６１の端子収容室６２に挿入された後に、電線が引っ張られると、端子５１も同じ方向へ移動する。係止片５６の先端５６ａが係合段部６３に当接することにより、電線付き端子５１′の後抜けが阻止される。
【０００５】
しかしながら、電線付き端子５１′が過度に引っ張られると、図１４の如くに、係止片５６の中間部５６ｂが変形して弓形になり、係止片５６が破損する恐れがあった。また、それにより、端子５１が端子収容室６２内で不完全な挿入状態、又は端子収容室６２から抜け出てしまうという問題点があった。このようになると、端子５１が端子収容室６３内でガタ付いてしまい、相手方コネクタ（図示せず）に嵌合できないという欠点があった。
【０００６】
他の従来例として、図１５及び図１６に示すような端子７０が開示されている（実開昭６２−１７３１７９号公報）。
図１５及び図１６において、この端子７０は、基板７１の一端部に中空角柱状電気接触部７２を、及び他端部に電線接続部７３を有し、電気接触部７２内に基板７１の一端から弾性の係止片７４を立ち上げ、係止片７４の両側に突片７５を設けると共に、電気接触部７２の両側壁７２ａ，７２ａに係止窓７６を形成するものである。そして、突片７５の自由端部の移動が係止窓７６の範囲内に規制されている。
【０００７】
コネクタハウジング８１の端子収容室８２内に端子７０が挿入されると、端子収容室８２の内面に突設された係合段部８３と端子７０の係止片７４とが相互に突き当たる。もし、この状態で端子７０が後方に引っ張られても、係止片７４の自由端７４ａと係合段部８３の前端面８３ａとが当接することで、端子７０の後抜けが防止される。
【０００８】
しかしながら、係止片７４の自由端７４ａの板厚ｄ′が係合段部８３の断面の厚さＤ′より薄いため（ｄ′＜Ｄ′）、端子７０が後方（Ｒ方向）へ引っ張られた場合には係止片７４が破損や変形し、それにより端子収容室８２内に端子７０を確実に保持できない不具合があった。また、例えば、端子収容室８２内に係止された端子７０を治具（図示せず）を利用して引き抜く場合には、係止片７４が簡単に変形してしまう恐れがあった。更に、係止片７４に設けた突片７５の位置と、側壁７２ａに形成された係止窓７６の位置とは対応するから、もし突片７５が上部に配置されると、係止窓７６も上部に配置するために、側壁７２ａを高くせざるを得ないという欠点があった。
【０００９】
【発明が解決しようとする課題】
本発明は、上記した点に鑑み、端子収容室に挿入係止された後で、端子挿入方向と反対方向へ引っ張られた際に、係止片の自由端の板厚がコネクタハウジングの係合段部の厚さよりも薄いことに起因して、係止片が破損するという問題を解消し、それに加えて、係止窓の位置を下げて側壁を低くすることのできる端子を提供することを目的とする。
【００１１】
【課題を解決するための手段】
上記目的を達成するために、本発明は、電気接触部としての中空角柱状の接触部本体を有し、該接触部本体の天井壁側の後端から片持ち状の係止片を突出形成し、該係止片に対する保護壁を該係止片の両側に有し、コネクタハウジングの端子収容室内に形成された係合段部に該係止片が係合する端子において、前記係止片の自由端部側の両側から前記接触部本体の底壁側へ向けて一対の延設壁が突出形成され、該一対の延設壁は当接用後端面を有し、前記端子収容室内に挿入された前記電気接触部が後方に引っ張られた際に該当接用後端面が前記係合段部の前端面に面接触で当接することを特徴とする（請求項１）。
前記一対の延設壁の下端から各係合腕部を外向きに突出形成すると共に、前記保護壁に係止窓を形成し、前記端子収容室内に挿入された前記電気接触部が引っ張られた際に、該係止窓内の該係合腕部が該係止窓の窓縁に当接することにより、前記係止片の座屈が防止される（請求項２）。
前記接触部本体の前記天井壁の後端から補強片を突設し、該補強片が該接触部本体から突出した前記係止片の根元部の上面に当接して該係止片を補強することも有効である（請求項３）。
【００１２】
【発明の実施の形態】
以下、発明の実施の形態の具体例を図面を参照して説明する。
図１〜図５は本発明に係る端子の第一実施例を示すものである。本実施例では電気接触部を形成する接触部本体の中間部に係止片と保護壁とがそれぞれ配置されている場合を説明するが、接触部本体の一端側に係止片を有し、基板から直接係止片の両側に保護壁を立設した端子の場合も同様である。なお、従来例と同一構成部材には同一名称を付けて詳細な説明を省略する。
【００１３】
図１において、この端子１は、基板（図示せず）の前方に電気接触部２と後方に電線接続部１５とを一体的に形成し、電気接触部２としての接触部本体３に連成された弾性の係止片４に係止腕部５を設け、係止腕部５に係合する腕係合部７を保護壁６に形成したものである。保護壁６を設けることで、係止片４を保護すると共に、端子収容室２１内への端子１の逆挿入を防止することができる（図４参照）。
【００１４】
図２及び図３に示す如くに、係止腕部５が係止片４の両端で自由端４ａの側に外方へ伸びるように設けられている。腕係合部７が、保護壁６のうち接触部本体３と反対側の端部に、下端から上端部付近まで直線的に切欠することにより、段状に形成されている。腕係合部７の形状はこの他にも可能である。腕係合部７に傾斜が形成されれば、係止腕部５と腕係合部７との係合が確実に行われる。また、係止腕部５の自由端部５ａに上方へ向く突部８が設けられると、係止腕部５と腕係合部７との係合が一層確実に行われる。なお、１６は電線１２の導体部１２ａ（図４）を加締る導体加締片であり、１７は電線１２の被覆部１２ｂ（図４）を加締る被覆加締片である。
【００１５】
次に、図４に示すように、コネクタハウジング２０の端子収容室２１に挿入された電線付き端子１１の電線１２が端子１の挿入方向と反対方向（Ｒ方向）へ引っ張られた場合に、係止腕部５の作用について説明する。
電線１２を端子１に加締めた電線付き端子１１がコネクタハウジング２０の端子収容室２１に挿入される。この状態で、電線１２がＲ方向へ引っ張られると、電線付き端子１１が後方（Ｒ方向）へ移動し始める。移動を始めると直ぐに、係止片４の自由端４ａが端子収容室２１内の係合段部２２に突き当たる。
【００１６】
なおも、端子１が後退させられるから、係止片４の自由端４ａが係合段部２２に当接した状態で、係止片４の傾斜角度θが大きくなる。係止片４の傾斜角度θが大きくなると、図５に示すように、係止片４の係止腕部５が保護壁６の腕係合部７に突き当たり、当接する。即ち、端子１が引っ張られて後退しても、係止腕部５の突部８と腕係合部７との係合により、係止片４の傾斜角度θが増大するのが阻止されるから、係止片４の変形が防止されると共に、係止片４の破損が防止される。従って、端子収容室２１内で端子１のガタ付きが防止されるから、相手方コネクタ（図示せず）との嵌合作業が確実に行われる。
【００１７】
図６〜図１０は本発明に係る端子の第二実施例を示すものである。なお、第一実施例と同一構成部材には同一名称を付けて詳細な説明を省略する。
図６において、この端子３０は、電気接触部３１としての中空角柱状の接触部本体３２の天井壁３３に一端３３ａから折り返されて他端３３ｂを通って外部へ延びる弾性の係止片３４と、係止片３４の両側に下向き（底壁３２ａ側）に設けられた延設壁３５と、延設壁３５の自由端部を折曲して上方に立ち上がる係合腕部３６を設け、係止片３４の両側に位置する保護壁３７，３７に係止窓３８を形成するものである。
【００１８】
図７及び図８の如くに、係止片３４に設けられた延設壁３５には係止片３４の自由端部３４ａ側に当接用側面（後端面）３５ａを有している。延設壁３５の長さｄは、端子収容室２１の内面から突出している係合段部２２の突出長さＤより長く設定される（ｄ＞Ｄ）ことが好ましい（図９参照）。
延設壁３５に配置された係合腕部３６は常に係止窓３８の範囲内に位置する。係止片３４が弾性復元した場合に、係合腕部３６と係止窓３８の窓縁３８ａとが係合される。係合腕部３６を延設壁３５に設けるから、延設壁３５の長さｄに比例して係合腕部３６の位置を係止片３４より低く、つまり、底壁３２ａ側に配置させることができる。それにより、保護壁３７の高さｈを低く設定することが可能である。
【００１９】
図６及び図７のように、天井壁３３の他端３３ｂには外部に露出した係止片３４の根元部３４ｂを保護するための補強片３９が突設されている。補強片３９が係止片３４の上部に配置されている。それにより、係止片３４の根元部３４ｂには上部に補強片３９が配置され、また係止片３４の自由端部３４ａ側には延設壁３５が設けられているから、従来よりも係止片３４自体が強化される。
図１０は端子３０の展開図である。一枚の金属板を打ち抜いた後に折曲し、電気接触部３１や電気接続部４１を形成する。それから、連鎖帯４５を切断することで、端子３０が製造される。４２は一対の導体加締片であり、４３は一対の被覆加締片である。
【００２０】
次に、図９に示す如くに、コネクタハウジング２０の端子収容室２１内に挿入係止された電線付き端子１１′が後方（Ｒ方向）へ引っ張られた場合について説明する。
端子収容室２１内に端子３０が挿入されると、端子３０の係止片３４の上面３４ｃが端子収容室２１の係合段部２２の後端面２２ｂに突き当たる。係止片３４が係合段部２２に押圧されて撓み、係止片３４の自由端部３４ａが係合段部２２の外面２２ｃを摺動する。係止片３４が係合段部２２の前端面２２ａを通過すると、弾性復元し、元の状態に戻る。その際、係合腕部３６は常に係止窓３８内に止まっている。
【００２１】
この状態で、もし端子３０が後方へ引っ張られた場合には、延設壁３５の当接用側面３５ａと係合段部２２の前端面２２ａとが相互に当接されると共に、係合腕部３６と係止窓３８の窓縁３８ａとが係合される。これにより、端子３０の後抜けが防止される。そして、当接用側面３５ａの長さｄが係止片３４の板厚Ｄより長いから、従来に比べて当接用側面３５ａと係合段部２２の前端面２２ａとの当接面積（即ち、重なり部分）が増大する。そのため、係止片３４と係合段部２２との保持力が従来よりも一層向上される。
【００２２】
また、天井壁３３の他端３３ｂに設けられた補強片３９が係止片３４の上部に配置されているから、上方への端子３０の移動が阻止されると共に、係止片３４自体も強化される。それにより、係止片３４が破損したり、又は変形したりすることがない。それと共に、係止片３４の座屈も防止することができる。
【００２４】
【発明の効果】
以上の如くに、請求項１記載の発明によれば、延設壁が係止片の両側に自由端部側から接触部本体の底壁側へ向けて設けられている。そのため、端子収容室内に挿入された端子が引っ張られると、延設壁の当接用後端面が係合段部に当接する。これにより、係合段部に当接する端子の当接面積（重なり部分）が従来よりも増加される。従って、端子収容室内に端子を保持するための保持力が向上する。
【００２５】
請求項２記載の発明によれば、一対の係止腕部が延設壁の下端から外向きに設けられると共に、保護壁に形成された係止窓内に規制される。そのため、延設壁の距離を長くすれば、係合腕部の位置を接触部本体の底壁側に近づけることができる。それと共に、係合腕部に係合される係止窓の位置も底壁側に近づく。これにより、係止片を保護すると共に、端子の逆挿入を防止するための保護壁の高さを低く抑えることができる。
また、端子収容室内に挿入された端子が引っ張られた場合には、係合腕部と係止窓が当接するから、係止片の座屈が防止される。
【００２６】
請求項３記載の発明によれば、接触部本体の天井壁に設けられた補強片が、接触部本体から突出した係止片の根元部を補強するから、係止片自体が強化される。これにより、端子収容室内に挿入された端子が引っ張られた際に、係止片の変形や破損が防止される。更に、例えば、治具等を利用して端子を引き抜こうとする際には、係止片の座屈も防止される。
その上、請求項２及び３記載の発明によれば、係止片の自由端部側に延設壁を形成し、根元部に補強片を設けるから、係止片自体を従来よりも一層強化することができる。それにより、端子収容室内に挿入された端子が引っ張られても、係止片の変形や座屈が確実に防止される。
【図面の簡単な説明】
【図１】本発明に係る端子の第一実施例を示す斜視図である。
【図２】図１の要部拡大斜視図である。
【図３】図１の係止片の拡大斜視図である。
【図４】コネクタハウジングの端子収容室内に電線付き端子を挿入した状態を示す断面図である。
【図５】図４において、電線がＲ方向へ引っ張られた状態を示す説明図である。
【図６】本発明に係る端子の第二実施例を示す斜視図である。
【図７】図６の係止片を示す拡大斜視図である。
【図８】図６の断面図である。
【図９】コネクタハウジングの端子収容室に挿入された電線付き端子がＲ方向へ引っ張られた状態を示す断面図である。
【図１０】図６の端子の展開図である。
【図１１】従来の端子を示す斜視図である。
【図１２】図１１の端子の展開図である。
【図１３】コネクタハウジングの端子収容室に電線付き端子を挿入した状態を示す説明図である。
【図１４】図１３において、電線が引っ張られて係止片が変形している状態を示す説明図である。
【図１５】他の従来の端子をコネクタハウジング内に挿入した状態を示す断面図である。
【図１６】図１５における係止片と係合段部との係合状態を示す拡大図である。
【符号の説明】
１              端子
２              電気接触部
３              接触部本体
４              係止片
５              係止腕部
６              保護壁
７              腕係合部
８              突部
２０            コネクタハウジング
２１            端子収容室
２２            係合段部
３０            端子
３１            電気接触部
３２            接触部本体
３４            係止片
３４ｂ          根元部
３５            延設壁
３５ａ          当接用側面
３６            係合腕部
３７            保護壁
３８            係止窓
３８ａ          窓縁
３９            補強片
【図１】
0003575583.tif 000002
【図２】
0003575583.tif 000003
【図３】
0003575583.tif 000004
【図４】
0003575583.tif 000005
【図５】
0003575583.tif 000006
【図６】
0003575583.tif 000007
【図７】
0003575583.tif 000008
【図８】
0003575583.tif 000009
【図９】
0003575583.tif 000010
【図１０】
0003575583.tif 000011
【図１１】
0003575583.tif 000012
【図１２】
0003575583.tif 000013
【図１３】
0003575583.tif 000014
【図１４】
0003575583.tif 000015
【図１５】
0003575583.tif 000016
【図１６】
0003575583.tif 000017